(57)【要約】【課題】システムキッチンにおけるシンク部の外観を容易に変更することができる。【解決手段】外付シンク３は、備付シンク２が備え付けられたシンク部１１と、天板１４とが備えられたシステムキッチン１に用いるものであり、システムキッチン１の備付シンク２上に外付シンク３が重ね合わされることにより、二重構造のシンク体６がシンク部１１に構成される。【選択図】  図６
2016053284.tif 000002
【特許請求の範囲】
【請求項１】
備付シンクが備え付けられたシンク部と、天板とが備えられたシステムキッチンに用いる外付シンクであって、
前記備付シンク上に重ね合わせて二重構造のシンク体を前記シンク部に構成することを特徴とする外付シンク。
【請求項２】
請求項１に記載の外付シンクにおいて、
前記備付シンクには、ステンレス材が用いられたことを特徴とする外付シンク。
【請求項３】
請求項１または２に記載の外付シンクにおいて、
当該外付シンクには、人工大理石が用いられたことを特徴とする外付シンク。
【請求項４】
請求項１乃至３のうちいずれか１つに記載の外付シンクにおいて、
当該外付シンクと前記備付シンクとは相似形状となることを特徴とする外付シンク。
【請求項５】
請求項１乃至４のうちいずれか１つに記載の外付シンクにおいて、
底面部と、前記底面部の外周縁から立ち上がり、前記底面部と一体的に成形された壁部とが、設けられ、
前記底面部及び前記壁部からなる当該外付シンクの裏面となる外周面に緩衝材が設けられ、
前記緩衝材を介して前記備付シンク上に当該外付シンクを重ね合わせることを特徴とする外付シンク。
【請求項６】
請求項１乃至５のうちいずれか１つに記載の外付シンクにおいて、
底面部と、前記底面部の外周縁から立ち上がり、前記底面部と一体的に成形された壁部とが、設けられ、
前記底面部には、排水を行うための排水口が設けられ、
前記底面部及び前記壁部からなる当該外付シンクの裏面となる外周面のうち、前記排水口の周縁となる位置に、間隔を有して複数の緩衝材が設けられたことを特徴とする外付シンク。
【請求項７】
請求項１乃至４のうちいずれか１つに記載の外付シンクにおいて、
底面部と、前記底面部の外周縁から立ち上がり、前記底面部と一体的に成形された壁部とが、設けられ、
前記底面部及び前記壁部からなる当該外付シンクの裏面となる外周面全面に、緩衝材が設けられ、
前記緩衝材を介して前記備付シンク上に当該外付シンクを重ね合わせることを特徴とする外付シンク。
【請求項８】
請求項１乃至６のうちいずれか１つに記載の外付シンクにおいて、
底面部と、前記底面部の外周縁から立ち上がり、前記底面部と一体的に成形された壁部とが、設けられ、
前記壁部の外方端部が、前記システムキッチンに接合される部位となることを特徴とする外付シンク。
【請求項９】
備付シンクが備え付けられたシンク部と、天板とが備えられたシステムキッチンにおいて、
前記シンク部では、請求項１乃至８のうちいずれか１つに記載の外付シンクが、前記備付シンク上に重ね合わされて二重構造の前記シンク体が構成されたことを特徴とするシステムキッチン。
【発明の詳細な説明】
【技術分野】
【０００１】
本発明は、外付シンク、及びシステムキッチンに関する。
【背景技術】
【０００２】
現在、一般的なシステムキッチンでは、湯や水を使うシンク部と、加熱調理を行う加熱調理部と、調理を行う作業部とが連続して併設されている。これらシンク部と加熱調理部と作業部との天面は、１枚の天板によって成形されている。
【０００３】
システムキッチンにおいて、シンク部では、流し台となる深絞り形成されたシンク（備付シンク）と、備付シンクに湯や水を供給する水栓とが設けられている。備付シンクの底面部には、備付シンクに供給された湯や水を排出する排水部が設けられている。
【０００４】
現在、大半の備付シンクは、耐食性に優れているステンレス材をプレス成形加工することにより成形されている。
【先行技術文献】
【特許文献】
【０００５】
【特許文献１】特開２００６−２９１６１０号公報
【発明の概要】
【発明が解決しようとする課題】
【０００６】
一般に、ステンレス材は、陶器及びガラス等に比べて硬度が低い。そのため、食器等を備付シンクに置いた際、備付シンクの表面にスリ疵などのような様々な疵が付く。備付シンクは、その表面が平滑な面となっているため、このような疵が目立ち易いという欠点がある。そのため、疵を無くすために、専門家による補修工事を行ったり、天板を剥がして備付シンク自体を取り替える必要があり、高額の費用となる。
【０００７】
また現在、台所のリフォームの需要が高まってきており、シンクをイメージチェンジするために、ステンレス材を用いたシンクを、人工大理石を用いたシンクを取り替えることも提案されているが、この場合、天板を剥がしてステンレス材のシンクを外し、天板一体型の人工大理石のシンクに取り替えなければならず、高額の費用となり、台所のリフォームを安易に行うことができない。つまり、シンクを変更したくても簡単に変更できない現状がある。
【０００８】
そこで、上記問題を解決するために、本発明は、システムキッチンにおけるシンク部の外観を容易に変更することができる外付シンク、及びシステムキッチンを提供することを目的とする。
【課題を解決するための手段】
【０００９】
上記の目的を達成するため、本発明にかかる外付シンクは、少なくとも備付シンクが備え付けられたシンク部と、天板とが備えられたシステムキッチンに用いる外付シンクであって、備付シンク上に重ね合わせて二重構造のシンク体を前記シンク部に構成することを特徴とする。
【００１０】
本発明によれば、前記システムキッチンにおける前記シンク部の外観を容易に変更することが可能となる。つまり、費用がかかる大がかりな取り替え工事を行わずに、前記シンク部のリフォームを行うことが可能となる。
【００１１】
また、本発明によれば、前記備付シンクが破損し、前記シンク部の機能を果たさない状態であっても大がかりな補修や取り替え工事を行わなくてもよく、当該外付シンクを前記備付シンクに重ね合わせることで、シンク部の外観を変更することが可能となり、費用を大幅に抑えたシンク部の変更が可能となる。
【００１２】
上記の通り、本発明によれば、従来では考えられなかったシンク部のリフォームを提案することが容易となり、現在のリフォーム需要に合致する。
【００１３】
また、本発明によれば、前記備付シンクと当該外付シンクにより、前記シンク部に二重構造となるシンク体を構成させることが可能となり、その結果、前記備付シンクと当該外付シンクとからなる前記シンク体での防熱性（断熱性）を高めることが可能となり、例えば、前記シンク体に水を貯めて前記シンク体を簡易のクーラーボックスとすることが可能となり、また前記シンク体にお湯を貯めて前記シンク体を簡易のウォーマーボックスとすることが可能となる。
【００１４】
前記構成において、前記備付シンクには、ステンレス材が用いられてもよい。
【００１５】
この場合、前記備付シンクに、平坦な面を有するステンレス材が用いられているので、当該外付シンクを重ね合わせることが容易となる。
【００１６】
また、前記備付シンクにステンレス材が用いられているので、前記シンク体の防熱性（断熱性）を高めるのに好ましい。
【００１７】
前記構成において、当該外付シンクには、人工大理石が用いられてもよい。
【００１８】
この場合、当該外付シンクに人工大理石が用いられるので、美観に優れている。
【００１９】
また、前記備付シンクにステンレス材が用いられた場合、前記備付シンクに比べて熱や強度に強くなり、前記シンク部の補強となる。さらに、前記備付シンクにステンレス材が用いられた場合、ステンレス材によって二重構造のうちの下層が構成されるため、当該外付シンクと前記備付シンクによって二重構造となる前記シンク体としての防熱性（断熱性）がさらに上がる。
【００２０】
前記構成において、当該外付シンクと前記備付シンクとは相似形状となってもよい。
【００２１】
この場合、当該外付シンクと前記備付シンクとは相似形状となるので、前記備付シンク部上に当該外付シンクを容易に重ね合わせることが可能となる。
【００２２】
前記構成において、底面部と、前記底面部の外周縁から立ち上がり、前記底面部と一体的に成形された壁部とが、設けられ、前記底面部及び前記壁部からなる当該外付シンクの裏面となる外周面に緩衝材が設けられ、前記緩衝材を介して前記備付シンク上に当該外付シンクを重ね合わせてもよい。
【００２３】
この場合、前記緩衝材を介して前記備付シンク上に当該外付シンクを重ね合わせるので、当該外付シンクを直接前記備付シンクに接することによる前記備付シンクの損傷を抑えることが可能となる。
【００２４】
また、前記緩衝材を介して前記備付シンク上に当該外付シンクを重ね合わせるので、当該外付シンクと前記備付シンクとの形状を必ず一致させる必要がなくなり、当該外付シンクの製造時に、当該外付シンクの形状の製造誤差が生じても良く、当該外付シンクの製造が容易となる。具体的には、前記備付シンク上に当該外付シンクを重ね合わせた際に前記緩衝材が支点となって介在するので、当該外付シンクの外周面が前記備付シンクの内周面と正確に形状一致しなくても、容易に重ね合わせることが可能となる。
【００２５】
前記構成において、前記底面部には、排水を行うための排水口が設けられ、前記底面部及び前記壁部からなる当該外付シンクの裏面となる外周面のうち、前記排水口の周縁となる位置に、間隔を有して複数の緩衝材が設けられてもよい。
【００２６】
この場合、前記外周面のうち、前記排水口の周縁となる位置に、前記間隔を有して複数の前記緩衝材が設けられるので、前記シンク体における前記備付シンクと当該外付シンクとの間に空隙があり、前記空隙に結露などが発生した場合であっても、結露で発生した水は、前記備付シンクの内周面を流れて前記間隔から前記シンク部の排水口に流れる。
【００２７】
また、前記外周面のうち、前記排水口の周縁となる位置に、間隔を有して複数の緩衝材が設けられるので、間隙から、前記シンク体における前記備付シンクと当該外付シンクとの間の空隙に生まれる熱を排気することが可能となる。
【００２８】
前記構成において、底面部と、前記底面部の外周縁から立ち上がり、前記底面部と一体的に成形された壁部とが、設けられ、前記底面部及び前記壁部からなる当該外付シンクの裏面となる外周面全面に、緩衝材が設けられ、前記緩衝材を介して前記備付シンク上に当該外付シンクを重ね合わせてもよい。
【００２９】
この場合、前記底面部及び前記壁部からなる当該外付シンクの裏面となる外周面全面に、緩衝材が設けられているので、当該外付シンクを直接前記備付シンクに接することによる前記備付シンクの損傷を抑えることが可能となる。
【００３０】
また、前記緩衝材を介して前記備付シンク上に当該外付シンクを重ね合わせるので、当該外付シンクと前記備付シンクとの形状を必ず一致させる必要がなくなり、当該外付シンクの製造時に、当該外付シンクの形状の製造誤差が生じても良く、当該外付シンクの製造が容易となる。具体的には、前記備付シンク上に当該外付シンクを重ね合わせた際に前記緩衝材が介在するので、当該外付シンクの外周面が前記備付シンクの内周面と正確に形状一致しなくても、容易に重ね合わせることが可能となる。
【００３１】
また、前記底面部及び前記壁部からなる当該外付シンクの裏面となる外周面全面に、緩衝材が設けられるので、前記シンク体における前記備付シンクと当該外付シンクとの間に空隙がなく、安定した２つのシンク（当該外付シンクと前記備付シンク）の重ね合わせが可能となる。また、前記シンク体における前記備付シンクと当該外付シンクとの間に空隙がないので、前記空隙に結露などが発生するのを抑制することが可能となる。
【００３２】
前記構成において、底面部と、前記底面部の外周縁から立ち上がり、前記底面部と一体的に成形された壁部とが、設けられ、前記壁部の外方端部が、前記システムキッチンに接合される部位となってもよい。
【００３３】
この場合、前記壁部の外方端部が、前記システムキッチンに接合される部位となるので、前記システムキッチンへの当該外付シンクの接合箇所を上方にして、前記備付シンクと当該外付シンクとの間に前記天板（前記システムキッチンの上方）から水が浸入するのを防止することが可能となる。
【００３４】
上記の目的を達成するため、本発明にかかるシステムキッチンは、シンク部と天板とが備えられたシステムキッチンにおいて、前記シンク部では、本発明にかかる外付シンクが、前記備付シンク上に重ね合わされて二重構造の前記シンク体が構成されたことを特徴とする。
【００３５】
本発明によれば、本発明にかかる外付シンクが、前記備付シンク上に重ね合わされて二重構造の前記シンク体が構成されるので、外付シンクによる上記作用効果を有し、前記システムキッチンにおける前記シンク部の外観を容易に変更することが可能となる。つまり、費用がかかる大がかりな取り替え工事を行わずに、前記シンク部のリフォームを行うことが可能となる。
【発明の効果】
【００３６】
本発明にかかる外付シンク、及びシステムキッチンによれば、システムキッチンにおけるシンク部の外観を容易に変更することができる。
【図面の簡単な説明】
【００３７】
【図１】図１は、本実施の形態１にかかるシステムキッチンの概略構成斜視図である。
【図２】図２は、図１に示す備付シンクの概略斜視断面図である。
【図３】図３は、図１に示すシンク部の概略端面図である。
【図４】図４は、本実施の形態１にかかる外付シンクを、備付シンクに重ね合わせたシステムキッチンの概略構成斜視図である。
【図５】図５は、図４に示すシンク部の概略斜視断面図である。
【図６】図６は、図４に示すシンク部の概略端面図である。
【図７】図７は、図５に示す排水部を拡大した排水部の概略拡大斜視図である。
【図８】図８は、図３に対応する、本実施の形態２にかかる外付シンクを備付シンクに重ね合わせて構成するシンク部の概略端面図である。
【発明を実施するための形態】
【００３８】
以下、本発明の実施の形態について図面を参照して説明する。
【００３９】
＜実施の形態１＞
【００４０】
本実施の形態１にかかるシステムキッチン１では、図１に示すように、湯や水を使うシンク部１１と、加熱調理を行う加熱調理部１２と、調理を行う作業部１３とが連続して併設されている。これらシンク部１１と加熱調理部１２と作業部１３との天面は、１枚の天板１４によって成形されている。
【００４１】
シンク部１１では、図１に示すように、中央部分に、流し台となる深絞り形成された備付シンク２が設けられている。
【００４２】
備付シンク２にはステンレス材が用いられ、備付シンク２は、図１〜３に示すように、底面部２１及び壁部２２からなる内周面２３と、台部２４とから構成されている。壁部２２は、底面部２１の外周縁２１１から立ち上がり、底面部２１と一体的に成形されている。壁部２２の上方端部２２１（外方端部）は、平坦部２２２と傾斜部２２３とからなり、底面部２１から立ち上がり成形された壁部２２の下方端部２２４から連続して傾斜部２２３が成形され、傾斜部２２３から連続して平坦部２２２が成形されている。この平坦部２２２が、天板１４（天面）に接合されている。
【００４３】
台部２４には、図１〜３に示すように、備付シンク２に湯や水を供給する水栓２５が設けられている。
【００４４】
底面部２１には、図１〜３に示すように、備付シンク２に供給された湯や水を排出する排水部２６が設けられている。
【００４５】
排水部２６は、図１〜３に示すように、段差を有した円柱状に成形された排水口であり、下方側になる排水口の下端２６１に向かって段々と口径が狭くなっている。この排水部２６の最上段２６２には、排水口が露出しないように、排水蓋２７が備えられている。
【００４６】
本実施の形態１では、上記のシステムキッチン１に対して、図４に示すように、備付シンク２に取付け可能な外付シンク３を用いる。
【００４７】
外付シンク３には人工大理石が用いられ、外付シンク３は、図４〜６に示すように、底面部３１及び壁部３２からなる内周面３３と、台部３４とから構成されている。壁部３２は、底面部３１の外周縁３１１から立ち上がり、底面部３１と一体的に成形されている。壁部３２の上方端部３２１（外方端部）は、平坦部３２２と傾斜部３２３とからなり、底面部３１から立ち上がり成形された壁部３２の下方端部３２４から連続して傾斜部３２３が成形され、傾斜部３２３から連続して平坦部３２２が成形されている。この平坦部３２２が、システムキッチン１（天板１４（天面）や備付シンク２）に接合される部位となる。
【００４８】
台部３４には、図４〜６に示すように、備付シンク２に湯や水を供給する水栓２５が設けられている。
【００４９】
底面部３１には、図４〜７に示すように、備付シンク２に供給された湯や水を排出する排水部３６が設けられている。
【００５０】
排水部３６は、図５〜７に示すように、段差を有した円柱状に成形された排水口であり、下方側になる排水口の下端３６１に向かって段々と口径が狭くなっている。この排水部３６の最上段３６２には、排水口が露出しないように、排水蓋３７が備えられている。また、底面部３１及び壁部３２からなる外付シンク３の裏面となる外周面３８のうち、排水口の下端３６１（周縁）となる位置に、間隔を有して複数（本実施の形態では６つ）の排水用の緩衝材４（排水緩衝材）が設けられている。これら排水緩衝材４は、円柱形状のものである。なお、これら排水緩衝材４は、緩衝機能が作用すれば、任意の形状のものや任意の材料を用いてよい。
【００５１】
また、外付シンク３の裏面となる外周面３８（本実施の形態では底面部３１の裏面）に、図６に示すように、複数の支点用の緩衝材５（支点緩衝材）が設けられている。これら支点緩衝材５は、円柱形状のものである。なお、支点緩衝材５は、排水緩衝材４よりも高さが低く設定され、もしくは同等の高さに設定されている。また、支点緩衝材５は、排水緩衝材４よりも緩衝性が同等もしくは高い。
【００５２】
また、外付シンク３は、備付シンク２に対して相似形状となる。具体的には、外付シンク３の内周面３３と備付シンク２の内周面２３とが相似形状となり、外付シンク３の外周面３８と備付シンク２の外周面２８とが相似形状となる。
【００５３】
本実施の形態１では、図４，５に示すように、上記の外付シンク３を、緩衝材（排水緩衝材４と支点緩衝材５）を介して備付シンク２上に重ね合わせることで、二重構造のシンク体６が、シンク部１１に構築される。外付シンク３を備付シンク２上に重ね合わせた後に、外付シンク３の壁部３２の上方端部３２１（平坦部３２２の先端）を接合材７（コーキング材）を用いてシンク部１１の天板１４に接着する。この際、接合材７がマーク（幅数ｍｍの周状のマーク）としてシステムキッチン１にデザインされる（図４参照）。そのため、本実施の形態１にかかるシステムキッチン１によれば、備付シンク２のみが備えられた形態に比べてデザイン性の高いシステムキッチン１を創ることができる。
【００５４】
上記の通り、本実施の形態１にかかる外付シンク３を用いれば、システムキッチン１におけるシンク部１１の外観を容易に変更することができる。つまり、費用がかかる大がかりな取り替え工事を行わずに、シンク部１１のリフォームを行うことができる。
【００５５】
また、本実施の形態１にかかる外付シンク３を用いれば、備付シンク２が破損し、シンク部１１の機能を果たさない状態であっても大がかりな補修や取り替え工事を行わなくてもよく、外付シンク３を備付シンクに重ね合わせることで、シンク部１１の外観を変更することができ、費用を大幅に抑えたシンク部１１の変更ができる。
【００５６】
上記の通り、本実施の形態１にかかる外付シンク３によれば、従来では考えられなかったシンク部１１のリフォームを提案することが容易となり、現在のリフォーム需要に合致する。
【００５７】
また、本実施の形態１によれば、備付シンク２と外付シンク３により、シンク部１１に二重構造となるシンク体６を構成させることができ、その結果、備付シンク２と外付シンク３とからなるシンク体６での防熱性（断熱性）を高めることができる。例えば、シンク体６に水を貯めてシンク体６を簡易のクーラーボックスとすることができ、またシンク体６にお湯を貯めてシンク体６を簡易のウォーマーボックスとすることができる。
【００５８】
また、備付シンク２に、平坦な面を有するステンレス材が用いられているので、外付シンク３を重ね合わせることが容易となる。
【００５９】
また、備付シンク２にステンレス材が用いられているので、シンク体６の防熱性（断熱性）を高めるのに好ましい。
【００６０】
また、外付シンク３の底面部３１と壁部３２に人工大理石が用いられるので、美観に優れている。
【００６１】
また、備付シンク２にステンレス材が用いられた場合、備付シンク２に比べて熱や強度に強くなり、シンク部１１の補強となる。さらに、備付シンク２にステンレス材が用いられた場合、ステンレス材によって二重構造のうちの下層が構成されるため、二重構造となるシンク体６としての防熱性（断熱性）がさらに上がる。
【００６２】
また、外付シンク３と備付シンク２とは相似形状となるので、備付シンク部１１上に外付シンク３を容易に重ね合わせることができる。
【００６３】
また、緩衝材（排水緩衝材４と支点緩衝材５）を介して備付シンク２上に外付シンク３を重ね合わせるので、外付シンク３を直接備付シンク２に接することによる備付シンク２の損傷を抑えることができる。
【００６４】
また、緩衝材（排水緩衝材４と支点緩衝材５）を介して備付シンク２上に外付シンク３を重ね合わせるので、外付シンク３と備付シンク２との形状を必ず一致させる必要がなくなり、外付シンク３の製造時に、外付シンク３の形状の製造誤差が生じても良く、外付シンク３の製造が容易となる。具体的には、備付シンク２上に外付シンク３を重ね合わせた際に緩衝材（特に支点緩衝材５）が支点となって介在するので、外付シンク３の外周面３８ｆが備付シンク２の内周面２３と正確に形状一致しなくても、容易に重ね合わせることができる。
【００６５】
また、外付シンク３の壁部３２の外方端部３２１が、システムキッチン１に接合される部位となるので、システムキッチン１への外付シンク３の接合箇所を上方にして、備付シンク２と外付シンク３との間に天板１４（システムキッチン１の上方）から水が浸入するのを防止することができる。
【００６６】
また、外付シンク３を備付シンク２上に重ね合わせた後に、外付シンク３の壁部３２の上方端部３２１（平坦部３２２の先端）を、接合材７（コーキング材）を用いてシンク部１１の天板１４に接着するので、接合材７をマークとしてデザインすることができる。通常の天板に一体型に成形された人工大理石からなるシンクでは、このようなマークを作成することができないが、本実施の形態にかかる外付シンク３を用いることでマークを付けることができる。
【００６７】
また、外付シンク３の外周面３８のうち、排水口の下端３６１（周縁）となる位置に、間隔を有して複数の緩衝材（排水緩衝材４）が設けられるので、シンク体６における備付シンク２と外付シンク３との間に空隙があり、空隙に結露などが発生した場合であっても、結露で発生した水は、備付シンク２の内周面２３を流れて間隔からシンク部１１の排水口に流れる。
【００６８】
また、外付シンク３の外周面３８のうち、排水口の下端３６１（周縁）となる位置に、間隔を有して複数の緩衝材（排水緩衝材４）が設けられるので、間隙から、シンク体６における備付シンク２と外付シンク３との間の空隙に生まれる熱を排気することができる。
【００６９】
なお、本実施の形態１では、緩衝材（支点緩衝材５）が外付シンク３の外周面３８（底面部３１）に設けられているが、これに限定されるものではなく、最適な例の一つである。そのため、緩衝材（支点緩衝材５）を外付シンク３の外周面３８に設けずに、外付シンク３を備付シンク２上に重ね合わせる際に、備付シンク２の設定した箇所に複数の緩衝材（支点緩衝材５）を配し、その後に外付シンク３を備付シンク２上に重ね合わせても本実施の形態１と同様の効果を有する。
【００７０】
また、本実施の形態１にかかる外付シンク３では、６つの緩衝材（排水緩衝材４）を排水口の下端３６１（周縁）に間隔を有して設けているが、数はこれに限定されるものではなく、任意の数でよく、３つ以上の緩衝材（排水緩衝材４）が設けられていれば好ましい。
【００７１】
また、本実施の形態１では、底面部３１の裏面のみに緩衝材（支点緩衝材５）を設けているが、これに限定されるものではなく、底面部３１及び壁部３２に緩衝材（支点緩衝材５）を設けてもよい。また、緩衝材（支点緩衝材５）は、備付シンク２の底面部２１の傾斜する底面に対して直行する方向に伸びた形状で無ければ、任意の形状となってもよい。つまり、備付シンク２内で発生する可能性がある水の排出を妨げない形状であれば、任意の形状でよい。
【００７２】
＜実施の形態２＞
【００７３】
次に、本実施の形態２にかかる外付シンクを図面を用いて説明する。なお、本実施の形態２にかかる外付シンクは、上記の実施の形態１に対して、緩衝材が異なる。そのため、同一構成による作用効果及び変形例は、上記した実施例１の作用効果及び変形例と同様である。そこで、本実施の形態２では、上記の実施の形態１と異なる構成について説明し、同一の構成についての説明を省略する。
【００７４】
本実施の形態２にかかる外付シンク３では、図８に示すように、底面部３１及び壁部３２からなる外付シンク３の裏面となる外周面３８全面に、板状の緩衝材８が設けられている。つまり、本実施の形態１とは異なり、本実施の形態２では、外付シンク３の裏面となる外周面３８と、排水口の下端３６１とには、複数個の緩衝材（排水緩衝材４と支点緩衝材５）を設けていない。
【００７５】
本実施の形態２では、上記の外付シンク３を、板状の緩衝材８を介して備付シンク２上に重ね合わせることで、二重構造のシンク体６が、シンク部１１に構築される。外付シンク３を備付シンク２上に重ね合わせた後に、外付シンク３の壁部３２の上方端部３２１（平坦部３２２の先端）を接合材７（コーキング材）を用いてシンク部１１の天板１４に接着する。この際、接合材７がマーク（幅数ｍｍの周状のマーク）としてシステムキッチン１にデザインされる。そのため、本実施の形態２にかかるシステムキッチン１によれば、備付シンク２のみが備えられた形態に比べてデザイン性の高いシステムキッチン１を創ることができる。
【００７６】
上記の通り、本実施の形態２では、緩衝材の形態が異なるだけでは、他の構成は、本実施の形態１と同様であり、本実施の形態１と同様の作用効果を有する。すなわち、本実施の形態２にかかる外付シンク３を用いれば、システムキッチン１におけるシンク部１１の外観を容易に変更することができる。
【００７７】
また、本実施の形態２にかかる外付シンク３によれば、底面部３１及び壁部３２からなる外付シンク３の裏面となる外周面３８全面に、緩衝材８が設けられているので、外付シンク３を直接備付シンク２に接することによる備付シンク２の損傷を抑えることができる。
【００７８】
また、緩衝材８を介して備付シンク２上に外付シンク３を重ね合わせるので、外付シンク３と備付シンク２との形状を必ず一致させる必要がなくなり、外付シンク３の製造時に、外付シンク３の形状の製造誤差が生じても良く、外付シンク３の製造が容易となる。具体的には、備付シンク２上に外付シンク３を重ね合わせた際に緩衝材８が介在するので、外付シンク３の外周面３８が備付シンク２の内周面２３と正確に形状一致しなくても、容易に重ね合わせることができる。
【００７９】
また、底面部３１及び壁部３２からなる外付シンク３の裏面となる外周面３８全面に、緩衝材８が設けられるので、シンク体６における備付シンク２と外付シンク３との間に空隙がなく、安定した２つのシンク（外付シンク３と備付シンク２）の重ね合わせができる。また、シンク体６における備付シンク２と外付シンク３との間に空隙がないので、空隙に結露などが発生するのを抑制することができる。
【００８０】
なお、本実施の形態２では、緩衝材８が外付シンク３の外周面３８全面に設けられているが、これに限定されるものではなく、最適な例の一つである。そのため、緩衝材８を外付シンク３の外周面３８に設けずに、外付シンク３を備付シンク２上に重ね合わせる際に、板状の緩衝材８を備付シンク２に配置し（もしくは備付シンク２に緩衝材８を板状に塗布し）、その後に外付シンク３を備付シンク２上に重ね合わせても本実施の形態１と同様の効果を有する。しかしながら、板状の緩衝材８の外付シンク３への配置が固定されないため、多少のずれが発生する可能性があり、その点、緩衝材８が外付シンク３の外周面３８全面に設けられている構成が好ましい。
【００８１】
また、本発明は、その精神や主旨または主要な特徴から逸脱することなく、他のいろいろな形で実施することができる。そのため、上述の実施形態はあらゆる点で単なる例示にすぎず、限定的に解釈してはならない。すなわち、上記の実施形態を例として、本発明は、備付シンクに重ね合わせ可能な外付シンクである。
【００８２】
また、本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００８３】
本発明は、既存のシステムキッチンを含めて全てのシステムキッチンのシンクの替えに有効である。
【符号の説明】
【００８４】
１  システムキッチン
１１  シンク部
１２  加熱調理部
１３  作業部
１４  天板
２  備付シンク
２１  底面部
２１１  底面部の外周縁
２２  壁部
２２１  壁部の上方端部
２２２  平坦部
２２３  傾斜部
２２４  壁部の下方端部
２３  内周面
２４  台部
２５  水栓
２６  排水部
２６１  排水口の下端
２６２  排水部の最上段
２７  排水蓋
２８  備付シンクの外周面
３  外付シンク
３１  底面部
３１１  底面部の外周縁
３２  壁部
３２１  壁部の上方端部
３２２  平坦部
３２３  傾斜部
３２４  壁部の下方端部
３３  内周面
３４  台部
３６  排水部
３６１  排水口の下端
３６２  排水部の最上段
３７  排水蓋
３８  外付シンクの外周面
４  排水緩衝材
５  支点緩衝材
６  二重構造のシンク体
７  接合材
８  板状の緩衝材
【図１】
2016053284.tif 000003
【図２】
2016053284.tif 000004
【図３】
2016053284.tif 000005
【図４】
2016053284.tif 000006
【図５】
2016053284.tif 000007
【図６】
2016053284.tif 000008
【図７】
2016053284.tif 000009
【図８】
2016053284.tif 000010